(57)【要約】複数の演算機能の内から一つの演算機能が、操作キー６１の入力操作によって選択されることにより、設定している演算機能に代えて、選択された演算機能を新たに設定する設定部３４とを備え、設定している演算機能に基づいて、被計量物の計量結果を表示する電子天秤１であって、設定部３４で設定してきた演算機能を順番に時系列情報として記憶する時系列情報記憶部４２と、操作キー６１の入力操作によって呼び出されることにより、時系列情報に基づいて、設定順と演算機能とを示す時系列情報表を表示する時系列情報表示制御部３５と、時系列情報表中における一つの演算機能が、操作キー６１の入力操作によって選択されることにより、選択された演算機能を設定していることを取り消すか、或いは、選択された演算機能に代えて、選択された演算機能を設定する前に設定していた演算機能を新たに設定する再設定部３６とを備えることを特徴とする。
2010016138.tif 000002
【特許請求の範囲】
【請求項１】
入力操作が行われる操作キーと、
被計量物の種類、計量作業の種類、作業環境の状況の少なくともいずれかに対応するために、複数の演算機能の内から一つの演算機能が、前記操作キーの入力操作によって選択されることにより、設定している演算機能に代えて、選択された演算機能を新たに設定する設定部とを備え、
設定している演算機能に基づいて、前記被計量物の計量結果を表示する電子天秤であって、
前記設定部で設定してきた演算機能を順番に時系列情報として記憶する時系列情報記憶部と、
前記操作キーの入力操作によって呼び出されることにより、前記時系列情報に基づいて、設定順と演算機能とを示す時系列情報表を表示する時系列情報表示制御部と、
前記時系列情報表中における一つの演算機能が、前記操作キーの入力操作によって選択されることにより、選択された演算機能を設定していることを取り消すか、或いは、選択された演算機能に代えて、選択された演算機能を設定する前に設定していた演算機能を新たに設定する再設定部とを備えることを特徴とする電子天秤。
【請求項２】
前記複数の演算機能は、それぞれ異なる平均処理パラメータが予め設定された複数の測定モードの内から一つの測定モードを決定するための演算機能を含む第一演算機能群と、
前記計量結果として被計量物の個数或いは重量のどちらを表示するかを決定するための演算機能を含む第二演算機能群と、
前記被計量物の重量を表示するために表示単位を決定するための演算機能を含む第三演算機能群と、
前記被計量物の個数を表示するために単重値を決定するための演算機能を含む第四演算機能群と、
風袋引きを行うことにより得られた風袋量の数値パラメータを用いるか否かを決定するための演算機能を含む第五演算機能群と、
感度校正を行うことにより校正係数の数値パラメータを決定するための演算機能を含む第六演算機能群と、
前記計量結果を印刷機に出力するために外部出力ボーレートを決定するための演算機能を含む第七演算機能群とからなる演算機能群に分類され、
第一演算機能群と第二演算機能群と第三演算機能群と第四演算機能群と第五演算機能群と第六演算機能群と第七演算機能群とからなる群から選択される少なくとも一つの演算機能群を含み、
各演算機能群からそれぞれ選択された一つの演算機能に基づいて、前記被計量物の計量結果を表示することを特徴とする請求項１に記載の電子天秤。
【請求項３】
前記時系列情報記憶部は、各演算機能群を区別せずに一つの時系列情報として、前記設定部で設定してきた演算機能を順番に記憶することを特徴とする請求項２に記載の電子天秤。
【請求項４】
前記時系列情報表は、前記設定順と、設定した演算機能と、設定した演算機能によって新たに設定した数値パラメータとを示す画像からなることを特徴とする請求項２又は請求項３に記載の電子天秤。
【請求項５】
前記時系列情報表は、前記設定順と、設定した演算機能と、設定した演算機能が含まれる演算機能群において演算機能を設定する前に設定していた演算機能とを示す画像からなることを特徴とする請求項２〜請求項４のいずれかに記載の電子天秤。
【発明の詳細な説明】
【技術分野】
【０００１】
本発明は、電子天秤に関し、さらに詳細には被計量物の種類や計量作業の種類や作業環境の状況に対応して、複数の演算機能の内から適切な演算機能を設定することにより、設定した演算機能に基づいて被計量物の計量結果を表示する電子天秤に関する。
【背景技術】
【０００２】
電子天秤が計量皿に載置された被計量物の重量を検出して荷重データを得る場合に、例えば、空調から吹き出される気流の影響を計量皿が受ける場所では、空調の気流による計量皿のゆれが生じるので、計量皿に載置された被計量物の重量が一定であるにもかかわらず、いつまでたっても荷重データが変動する。そこで、荷重データの変動を、荷重データの平均処理により除くことができる電子天秤がある。このような電子天秤では、例えば、被計量物の重量を次々と所定の時間間隔で繰り返し検出することにより、荷重データを順次バッファ（荷重データ記憶領域）に記憶させ、バッファに記憶された荷重データのうち予め設定したサンプリング数の荷重データを平均化することで平均重量を算出し、計量結果として平均重量をディスプレイに表示している。このとき、予め設定してあるサンプリング数の荷重データを収集して平均重量を算出するため、設定してあるサンプリング数が大きいと計量結果をディスプレイに表示するまでに時間を要し、その結果、使用者が計量結果を得るのに時間がかかることになる。逆に、設定してあるサンプリング数が小さいと平均化の効果が小さくなり、安定した計量結果が得られにくくなる。【０００３】
そこで、被計量物の種類や計量作業の種類や作業環境の状況に対応して、それぞれ異なるサンプリング数等の平均処理パラメータに予め調整した複数の「測定モード」が登録され、複数の「測定モード」から一つの「測定モード」を設定することができる電子天秤が開発されている（例えば、特許文献１参照）。
ここで、「平均処理パラメータ」とは、荷重データの平均処理を行うに際して設定が必要となる数値のことをいい、例えば、「サンプリング数」や、振動状態であるか否かを判定する荷重データの変動幅の閾値である「平均開始解除重量変動量」や、荷重データの変動幅が平均開始解除重量変動量以下になった状態の継続時間の閾値である「安定継続時間」等がある。
そして、「測定モード」には、販売者等によって被計量物の種類や計量作業の種類や作業環境の状況に対応することが可能となるように平均処理パラメータが予め設定されて付与されている。このような「測定モード」として、例えば、平均処理パラメータが、一般的な被計量物の重量の計量作業に適するように設定された「標準測定モード」や、少量の被計量物を次々と追加（あるいは除去）しつつ所望量の被計量物をはかりとる計量作業に適するように設定された「はかりとりモード」や、床振動等の外部振動が多い作業環境下での計量作業に適するように設定された「耐外乱モード」等がある。
このような電子天秤を使用者が使用する際には、「標準測定モード」と「はかりとりモード」と「耐外乱モード」との内から一つの測定モードを操作キーの入力操作によって選択することで、選択した測定モードにおけるサンプリング数、平均開始解除重量変動量、安定継続時間等の数値で電子天秤に荷重データの平均処理を行わせて、計量結果として平均重量を得ている。
また、使用者は、被計量物の種類や計量作業の種類や作業環境の状況が変わると、「標準測定モード」と「はかりとりモード」と「耐外乱モード」との内から一つの測定モードを新たに選択することで、設定されている測定モードに代えて、選択した測定モードを新たに設定させている。つまり、使用者が電子天秤を使用する際に、電子天秤には、「標準測定モード」を用いる演算機能と「はかりとり測定モード」を用いる演算機能と「耐外乱モード」を用いる演算機能との内から選択された一つの演算機能が設定されていることになる。【０００４】
ところで、使用者は、複数の測定モードの内から適切な測定モードを選択して電子天秤に設定させる以外にも、被計量物の「個数」或いは「重量」のどちらを表示するかを選択して設定させることや、被計量物の重量を表示するために表示単位（例えば、「ｇ」や「ｋｇ」等）を選択して設定させることや、被計量物の個数を表示するために単重値Ｕを選択して設定させることや、感度校正を行うことにより校正係数の数値パラメータαを設定させることや、風袋等を負荷したときの荷重データを用いて風袋引きを行うこと（いわゆる「風袋引きモード」）により得られた風袋量の数値パラメータβを用いるように設定させることや、計量結果を印刷機に出力するために外部出力ボーレートを選択して設定させること等が必要となる多機能化された電子天秤がある。
よって、使用者がこのような多機能化された電子天秤を使用する際には、電子天秤には、例えば、「標準測定モード」を用いる演算機能が設定されているだけでなく、被計量物の「重量」を表示する演算機能や、表示単位を「ｇ」とする演算機能や、風袋量の数値パラメータβを「１５ｇ」とする演算機能等が設定されている。
【特許文献１】特開平８−３０４１５１号公報
【発明の開示】
【発明が解決しようとする課題】
【０００５】
ところで、使用者は、被計量物の計量結果に問題（例えば、被計量物を計量皿に載置しているが、「０ｇ」と表示されていること等）が生じていると感じたときに、操作キーの入力操作ミス等によって使用者の意図しない演算機能が電子天秤に設定されていると考えることがある。しかしながら、上述したように多機能化された電子天秤には、「標準測定モード」を用いる演算機能や、被計量物の「重量」を表示する演算機能等の多数の演算機能が設定されているため、使用者が、設定されている多数の演算機能の内から誤って設定されている演算機能を見つけ出すのに、非常に時間と手間とがかかった。
また、使用者は、被計量物の計量結果に問題が生じた原因を容易に調査することができないため、誤って設定されている演算機能を見つけ出すことができない場合もあり、このような場合には、電子天秤は「設定一括クリア（出荷時設定復帰）」等の機能を有するが、「設定一括クリア」を実行すると、設定させておきたい演算機能までもが設定されていることを取り消すことになっていた。
そこで、本発明は、誤って設定されている演算機能を容易に見つけ出すことができ、その上、誤って設定されている演算機能が設定されていることを容易に取り消したり、誤って設定されている演算機能に代えて、誤って設定されている演算機能を設定させる前に設定されていた演算機能を容易に新たに設定させたりすることができる電子天秤を提供することを目的とする。
【課題を解決するための手段】
【０００６】
上記課題を解決するためになされた本発明の電子天秤は、入力操作が行われる操作キーと、被計量物の種類、計量作業の種類、作業環境の状況の少なくともいずれかに対応するために、複数の演算機能の内から一つの演算機能が、前記操作キーの入力操作によって選択されることにより、設定している演算機能に代えて、選択された演算機能を新たに設定する設定部とを備え、設定している演算機能に基づいて、前記被計量物の計量結果を表示する電子天秤であって、前記設定部で設定してきた演算機能を順番に時系列情報として記憶する時系列情報記憶部と、前記操作キーの入力操作によって呼び出されることにより、前記時系列情報に基づいて、設定順と演算機能とを示す時系列情報表を表示する時系列情報表示制御部と、前記時系列情報表中における一つの演算機能が、前記操作キーの入力操作によって選択されることにより、選択された演算機能を設定していることを取り消すか、或いは、選択された演算機能に代えて、選択された演算機能を設定する前に設定していた演算機能を新たに設定する再設定部とを備えるようにしている。【０００７】
本発明の電子天秤によれば、複数の演算機能の内から一つの演算機能が、操作キーの入力操作によって選択されるたびに、設定部は、設定している演算機能に代えて、選択された演算機能を新たに設定していく。このとき、時系列情報記憶部は、設定部で設定してきた演算機能を順番に時系列情報として記憶する。
そして、使用者が、被計量物の計量結果に問題が生じていると感じたときには、操作キーの入力操作によって、設定順と演算機能とを示す時系列情報表を呼び出す。その結果、時系列情報表示制御部は、時系列情報表を表示する。
これにより、使用者は、時系列情報表を観察しながら、被計量物の計量結果に問題が生じた原因を調査することになる。よって、使用者は、設定されている演算機能の内から誤って設定されている演算機能を容易に見つけ出すことができる。
さらに、使用者は、誤って設定されている演算機能を見つけ出せば、時系列情報表中における一つの演算機能（誤って設定されている演算機能）を、操作キーの入力操作によって選択する。その結果、再設定部は、選択された演算機能を設定していることを取り消したり、選択された演算機能に代えて、選択された演算機能を設定する前に設定していた演算機能を新たに設定したりする。【０００８】
（発明の効果）
以上のように、本発明の電子天秤によれば、誤って設定されている演算機能を容易に見つけ出すことができ、その上、誤って設定されている演算機能が設定されていることを容易に取り消したり、誤って設定されている演算機能に代えて、誤って設定されている演算機能が設定される前に設定されていた演算機能を容易に新たに設定させたりすることができる。【０００９】
（その他の課題を解決するための手段及び効果）
また、本発明の電子天秤は、前記複数の演算機能は、それぞれ異なる平均処理パラメータが予め設定された複数の測定モードの内から一つの測定モードを決定するための演算機能を含む第一演算機能群と、前記計量結果として被計量物の個数或いは重量のどちらを表示するかを決定するための演算機能を含む第二演算機能群と、前記被計量物の重量を表示するために表示単位を決定するための演算機能を含む第三演算機能群と、前記被計量物の個数を表示するために単重値を決定するための演算機能を含む第四演算機能群と、風袋引きを行うことにより得られた風袋量の数値パラメータを用いるか否かを決定するための演算機能を含む第五演算機能群と、感度校正を行うことにより校正係数の数値パラメータを決定するための演算機能を含む第六演算機能群と、前記計量結果を印刷機に出力するために外部出力ボーレートの数値パラメータを決定するための演算機能を含む第七演算機能群とからなる演算機能群に分類され、第一演算機能群と第二演算機能群と第三演算機能群と第四演算機能群と第五演算機能群と第六演算機能群と第七演算機能群とからなる群から選択される少なくとも一つの演算機能群を含み、各演算機能群からそれぞれ選択された一つの演算機能に基づいて、前記被計量物の計量結果を表示するようにしてもよい。【００１０】
また、本発明の電子天秤は、前記時系列情報記憶部は、各演算機能群を区別せずに一つの時系列情報として、前記設定部で設定してきた演算機能を順番に記憶するようにしてもよい。
そして、本発明の電子天秤は、前記時系列情報表は、前記設定順と、設定した演算機能と、設定した演算機能によって新たに設定した数値パラメータとを示す画像からなるようにしてもよい。
本発明の電子天秤によれば、使用者が時系列情報表を観察するときに、設定した演算機能によって新たに設定している数値パラメータを容易に認識することができる。よって、使用者は、設定されている多数の演算機能の内から誤って設定されている演算機能を容易に見つけ出すことができる。【００１１】
さらに、本発明の電子天秤は、前記時系列情報表は、前記設定順と、設定した演算機能と、設定した演算機能が含まれる演算機能群において演算機能を設定する前に設定していた演算機能とを示す画像からなるようにしてもよい。
本発明の電子天秤によれば、使用者が時系列情報表を観察するときに、選択しようとしている演算機能を設定する前に設定していた演算機能を容易に認識することができる。よって、使用者は、設定されている多数の演算機能の内から誤って設定されている演算機能を容易に見つけ出すことができる。
【図面の簡単な説明】
【００１２】
【図１】本発明に係る電子天秤の構成の一例を示すブロック図である。
【図２】図１に示す電子天秤のディスプレイと操作キーとを示す外観図の一例である。
【図３】時系列情報記憶領域に記憶された時系列情報の一例を示す図である。
【図４】時系列情報記憶領域に記憶された時系列情報の一例を示す図である。
【図５】ディスプレイに表示された時系列情報表の一例を示す図である。
【図６】ディスプレイに表示された時系列情報表の一例を示す図である。
【符号の説明】
【００１３】
１  電子天秤
３１  計量結果表示制御部
３３  荷重データ記憶制御部
３４  設定部
３５  時系列情報表示制御部
３６  再設定部
４１  荷重データ記憶領域
４２  時系列情報記憶領域
６０  ディスプレイ
６１ａ〜６１ｄ  操作キー
【発明を実施するための最良の形態】
【００１４】
以下、本発明の実施形態について図面を用いて説明する。なお、本発明は、以下の実施形態に限定されるものではなく、本発明の趣旨を逸脱しない範囲で種々の態様が含まれることはいうまでもない。【００１５】
図１は、本発明に係る電子天秤の構成の一例を示すブロック図である。また、図２は、図１に示す電子天秤のディスプレイと操作キーとを示す外観図の一例である。
本発明に係る電子天秤１は、それぞれ異なる平均処理パラメータが予め設定された三つの測定モードの内から一つの測定モードを決定するための演算機能を含む第一演算機能群と、計量結果として被計量物の「個数」或いは「重量」のどちらを表示するかを決定するための演算機能を含む第二演算機能群と、被計量物の重量を表示するために表示単位を決定するための演算機能を含む第三演算機能群と、被計量物の個数を表示するために単重値Ｕを決定するための演算機能を含む第四演算機能群と、「風袋引きモード」より得られた風袋量の数値パラメータβを用いるか否かを決定するための演算機能を含む第五演算機能群と、感度校正を行うことにより校正係数の数値パラメータαを決定するための演算機能を含む第六演算機能群と、計量結果を印刷機に出力するために外部出力ボーレートを決定するための演算機能を含む第七演算機能群とからなる七種類の演算機能群を有する。
そして、電子天秤１は、被計量物の種類や計量作業の種類や作業環境の状況に対応するために、各演算機能群からそれぞれ選択された一つの演算機能である七つの演算機能に基づいて、被計量物の計量結果をディスプレイ６０に表示するようになっている。【００１６】
第一演算機能群には、「標準測定モード」を用いる演算機能と、「はかりとりモード」を用いる演算機能と、「耐外乱モード」を用いる演算機能とが含まれる。なお、本発明に係る電子天秤１には、「標準測定モード」と「はかりとりモード」と「耐外乱モード」とが登録されており、初期設定として「標準測定モード」を用いる演算機能が予め設定されている。また、後述するが第一演算機能群において、設定部３４で演算機能が新たに設定されたときには、前に設定していた演算機能を示す付随情報が時系列情報記憶領域４２に記憶されるようになっている。
第二演算機能群には、計量結果として「個数測定」を表示する演算機能と、計量結果として「重量測定」を表示する演算機能とが含まれる。なお、本発明に係る電子天秤１には、初期設定として計量結果として「重量測定」を表示する演算機能が予め設定されている。また、後述するが第二演算機能群において設定部３４で演算機能が新たに設定されたときには、前に設定していた演算機能を示す付随情報が時系列情報記憶領域４２に記憶されるようになっている。
第三演算機能群には、表示単位を「ｍｇ」とする演算機能と、表示単位を「ｇ」とする演算機能と、表示単位を「ｋｇ」とする演算機能とが含まれる。なお、本発明に係る電子天秤１には、初期設定として表示単位を「ｇ」とする演算機能が予め設定されている。また、後述するが第三演算機能群において設定部３４で演算機能が新たに設定されたときには、前に設定していた演算機能を示す付随情報が時系列情報記憶領域４２に記憶されるようになっている。【００１７】
第四演算機能群には、単重値（数値パラメータ）を「第一単重値Ｕ１」とする演算機能と、単重値を「第二単重値Ｕ２」とする演算機能と、単重値を「第三単重値Ｕ３」とする演算機能とが含まれる。なお、本発明に係る電子天秤１には、「第一単重値Ｕ１」と「第二単重値Ｕ２」と「第三単重値Ｕ３」とが登録されており、初期設定として単重値を「第一単重値Ｕ１」とする演算機能が予め設定されている。また、後述するが第四演算機能群において設定部３４で演算機能が新たに設定されたときには、新たに設定した単重値Ｕを示す付随情報が時系列情報記憶領域４２に記憶されるようになっている。
第五演算機能群には、「風袋引きモード」により得られた風袋量の数値パラメータβを用いる演算機能と、風袋量の数値パラメータβを用いない演算機能とが含まれる。なお、本発明に係る電子天秤１には、初期設定として風袋量の数値パラメータβを用いない演算機能が予め設定されている。また、後述するが第五演算機能群において設定部３４で演算機能が新たに設定されたときには、新たに調整した風袋量の数値パラメータβを示す付随情報が時系列情報記憶領域４２に記憶されるようになっている。【００１８】
第六演算機能群には、外部基準分銅等の既知質量を負荷したときの荷重データを用いて感度校正を行うことにより校正係数の数値パラメータαを用いる演算機能と、内部分銅等の既知質量を負荷したときの荷重データを用いて感度校正を行うことにより校正係数の数値パラメータαを用いる演算機能とが含まれる。なお、本発明に係る電子天秤１には、初期設定として内部分銅等の既知質量を負荷したときの荷重データを用いて感度校正を行うことにより校正係数の数値パラメータαを用いる演算機能が予め設定されている。また、後述するが第六演算機能群において設定部３４で演算機能が新たに設定されたときには、前に設定していた演算機能によって設定した数値パラメータα’を示す付随情報が時系列情報記憶領域４２に記憶されるようになっている。
第七演算機能群には、計量結果を印刷機５６に出力するために外部出力ボーレート（数値パラメータ）を「１２００ｂｐｓ」とする演算機能と、外部出力ボーレートを「９６００ｂｐｓ」とする演算機能とが含まれる。なお、本発明に係る電子天秤１には、外部出力ボーレート「１２００ｂｐｓ」と外部出力ボーレート「９６００ｂｐｓ」とが登録されており、初期設定として外部出力ボーレートを「１２００ｂｐｓ」とする演算機能が予め設定されている。また、後述するが第七演算機能群において設定部３４で演算機能が新たに設定されたときには、前に設定していた演算機能によって設定した外部出力ボーレートを示す付随情報が時系列情報記憶領域４２に記憶されることになる。【００１９】
電子天秤１は、計量皿１０ａを有する荷重検出部１０と、信号処理器２０と、マイクロコンピュータ５０と、計量結果や時系列情報表等を表示するためのディスプレイ６０と、使用者によって入力操作が行われるための操作キー６１と、計量結果等を印刷するための印刷機５６とを備える。
荷重検出部１０は、計量皿１０ａの上面に載置された被計量物の重量をロードセル（図示せず）によって検出し、信号処理器２０にアナログ信号を所定の時間間隔で順次出力する。
信号処理器２０は、荷重検出部１０から検出されたアナログ信号を増幅する増幅器２０ａと、増幅後のアナログ信号をデジタル信号（荷重データ）に変換するＡ／Ｄ変換器２０ｂとを備える。【００２０】
操作キー６１は、４個の操作キー６１ａ〜６１ｄからなり、ディスプレイ６０の下に横一列に並べられて配置されている（図２参照）。
ここで、操作キー６１の入力操作によって第一演算機能群における複数の演算機能の内から一つの演算機能を電子天秤１に設定させる設定方法の一例について説明する。
例えば、操作キー６１ａには、一つの測定モードが選択されるための「測定モード選択画面」をディスプレイ６０に呼び出したり、「測定モード選択画面」がディスプレイ６０に表示された状態では、一つの測定モードを決定したりするための入力操作が割り当てられている。また、操作キー６２ｂには、「測定モード選択画面」がディスプレイ６０に表示された状態では、「標準測定モード」と「はかりとりモード」と「耐外乱モード」との内から一つの測定モードを選択するための入力操作が割り当てられている。
これにより、使用者が操作キー６１ａを１回押圧することで、「測定モード選択画面」をディスプレイ６０に呼び出して、操作キー６２ｂを１回押圧することで、設定されている測定モードから他の測定モードに順送りで切り替え、さらに操作キー６２ｂをもう１回押圧することで、さらに他の測定モードに順送りで切り替えることができ、操作キー６２ｂを用いて所望の測定モードを選択できれば、操作キー６１ａを１回押圧することで、所望の測定モードを電子天秤１に設定させることができるようになっている。
なお、ここでは、操作キー６１の入力操作によって第一演算機能群における複数の演算機能の内から一つの演算機能を設定させる設定方法のみについて説明したが、他の演算機能群についてもそれぞれほぼ同様に、操作キー６１の入力操作によって複数の演算機能の内から一つの演算機能を設定させることになる。【００２１】
マイクロコンピュータ５０は、ＣＰＵ（データ処理装置）３０と、メモリ４０とから構成される。
ＣＰＵ３０が処理する機能をブロック化して説明すると、荷重データを荷重データ記憶領域４１に順次記憶させる荷重データ記憶制御部３３と、選択された演算機能を設定する設定部３４と、被計量物の計量結果をディスプレイ６０に表示する計量結果表示制御部３１と、時系列情報表をディスプレイ６０に表示する時系列情報表示制御部３５と、時系列情報表によって演算機能を設定する再設定部３６とを有する。【００２２】
また、メモリ４０は、荷重データ（デジタル信号）を順次記憶する荷重データ記憶領域４１と、設定部３４で設定してきた演算機能を順番に時系列情報として記憶する時系列情報記憶領域４２とを有する。
図３及び図４は、時系列情報記憶領域４２に記憶された時系列情報の一例を示す図である。
時系列情報記憶領域４２には、設定部３４で設定してきた演算機能を順番に５０個、記憶することができるようになっている。図３に示すように、最も新しく設定部３４で設定した演算機能として、ＩＤ「５０番」が割り当てられ、その前に設定部３４で設定した演算機能として、ＩＤ「４９番」が割り当てられ、さらにその前に設定部３４で設定した演算機能として、ＩＤ「４８番」が割り当てられるように、５０番から１番まで順番に割り当てられている。
そして、図４に示すように、設定部３４で演算機能を新たに設定したときには、最も新しく設定部３４で設定した演算機能として、ＩＤ「５０番」が割り当てられるので、図３でＩＤ「５０番」が割り当てられていた演算機能は、ＩＤ「４９番」が新たに割り当てられ、図３でＩＤ「４９番」が割り当てられていた演算機能は、ＩＤ「４８番」が新たに割り当てられ、図３でＩＤ「１番」が割り当てられていた演算機能は、時系列情報記憶領域４２中から消去されるようになっている。
また、図３において、例えば、５０番目に設定部３４で設定した演算機能として、外部基準分銅等の既知質量を負荷したときの荷重データを用いて感度校正を行うことにより校正係数の数値パラメータαを用いる演算機能が記憶されるとともに、付随情報として、第六演算機能群において前に設定していた校正係数の数値パラメータα’を用いる演算機能が記憶されている。
さらに、２３番目に設定部３４で設定した演算機能として、「風袋引きモード」により得られた風袋量の数値パラメータβを用いる演算機能が記憶されるとともに、付随情報として、演算機能によって新たに設定した風袋量の数値パラメータβである「１５ｇ」が記憶されている。
このようにｎ番目に設定部３４で設定した演算機能として、演算機能が記憶されるとともに、設定した演算機能によって新たに設定した数値パラメータ、或いは、設定した演算機能が含まれる演算機能群において前に設定していた演算機能を示す付随情報も記憶されている。【００２３】
荷重データ記憶制御部３３は、荷重検出部１０により被計量物の重量が検出され、信号処理器２０によりデジタル信号に変換された荷重データを荷重データ記憶領域４１に所定の時間間隔で順次記憶させる制御を行う。
設定部３４は、複数の演算機能の内から一つの演算機能が、操作キー６１の入力操作によって選択されることにより、選択された演算機能が含まれる演算機能群において設定している演算機能に代えて、選択された演算機能を新たに設定するとともに、設定した演算機能を順番に時系列情報記憶領域４２に記憶させる制御を行う。
例えば、使用者が、上述したように操作キー６１の入力操作によって「はかりとりモード」を用いる演算機能を選択する。その結果、設定部３４は、「はかりとりモード」を用いる演算機能が含まれる第一演算機能群において設定している「標準測定モード」を用いる演算機能に代えて、「はかりとりモード」を用いる演算機能を新たに設定する。このとき、設定部３４は、５０番目に設定部３４で設定した演算機能として、「はかりとりモード」を用いる演算機能を時系列情報記憶領域４２に記憶させる。さらに、付随情報として、第一演算機能群において前に設定していた「標準測定モード」を用いる演算機能を時系列情報記憶領域４２に記憶させる。【００２４】
計量結果表示制御部３１は、各演算機能群からそれぞれ設定している一つの演算機能である七つの演算機能に基づいて、被計量物の計量結果をディスプレイ６０に表示する制御を行う。
例えば、設定部３４によって、第一演算機能群において「はかりとりモード」を用いる演算機能と、第二演算機能群において計量結果として「重量測定」を表示する演算機能と、第三演算機能群において表示単位を「ｇ」とする演算機能と、第四演算機能群において単重値を「第一単重値Ｕ１」とする演算機能と、第五演算機能群において「風袋引きモード」により得られた風袋量の数値パラメータβを用いる演算機能と、第六演算機能群において校正係数の数値パラメータαを用いる演算機能と、第七演算機能群において外部出力ボーレートを「１２００ｂｐｓ」とする演算機能とが設定されている場合には、まず、第一演算機能群で設定している演算機能の「はかりとりモード」におけるサンプリング数、平均開始解除重量変動量、安定継続時間等の数値で荷重データの平均処理を行うことにより、計量結果として平均重量を得る。次に、第二演算機能群で設定している計量結果として「重量測定」を表示する演算機能と、第三演算機能群で設定している表示単位を「ｇ」とする演算機能と、第五演算機能群で設定している「風袋引きモード」により得られた風袋量の数値パラメータβを用いる演算機能と、第六演算機能群で設定している校正係数の数値パラメータαを用いる演算機能とに基づいて、計量結果として平均重量をディスプレイ６０に表示する。さらに、第七演算機能群で設定している外部出力ボーレートを「１２００ｂｐｓ」とする演算機能に基づいて、計量結果を印刷機５６に出力する。
なお、第四演算機能群において単重値を「第一単重値Ｕ１」とする演算機能が設定されているが、第二演算機能群において計量結果として「重量測定」を表示する演算機能が設定されているので、単重値を「第一単重値Ｕ１」とする演算機能は使用されない。【００２５】
時系列情報表示制御部３５は、操作キー６１の入力操作によって呼び出されることにより、時系列情報記憶領域４２に記憶されている時系列情報に基づいて、「時系列情報表」をディスプレイ６０に表示する制御を行う。
例えば、使用者が、操作キー６１の入力操作（例えば、操作キー６１ｃの１回の押圧）によって「時系列情報表」を呼び出す。その結果、時系列情報表示制御部３５は、時系列情報記憶領域４２に記憶されている時系列情報に基づいて、「時系列情報表」をディスプレイ６０に表示する。図５は、ディスプレイ６０に表示された時系列情報表の一例を示す図である。
時系列情報記憶領域４２には、上述したように５０個の演算機能を順番に記憶することができるようになっているが、図５に示すように１度の表示（１ページ）で５個の演算機能が表示されるようになっている。図５には、１０ページ目（１０／１０）として、１番目〜５番目に設定部３４で設定した演算機能が表示さている。
具体的には、１番目に設定部３４で設定した演算機能として、計量結果として「個数測定」を表示する演算機能が表示されるとともに、付随情報として、第二演算機能群において前に設定していた計量結果として「重量測定」を表示する演算機能が表示されている。
２番目に設定部３４で設定した演算機能として、単重値を「第一単重値Ｕ１」とする演算機能が表示されるとともに、付随情報として、第四演算機能群において前に設定していた単重値を「第二単重値Ｕ２」とする演算機能が表示されている。【００２６】
３番目に設定部３４で設定した演算機能として、「はかりとりモード」を用いる演算機能が表示されるとともに、付随情報として、第一演算機能群において前に設定していた「標準測定モード」を用いる演算機能が表示されている。
４番目に設定部３４で設定した演算機能として、計量結果を印刷機５６に出力するために外部出力ボーレートを「９６００ｂｐｓ」とする演算機能が表示されるとともに、付随情報として、第七演算機能群において前に設定していた外部出力ボーレートを「１２００ｂｐｓ」とする演算機能が表示されている。
５番目に設定部３４で設定した演算機能として、「風袋引きモード」により得られた風袋量の数値パラメータβ’’を用いる演算機能が表示されるとともに、付随情報として、演算機能によってそのときに設定した風袋量の数値パラメータβ’’である「２０ｇ」が表示されている。
これにより、使用者は、時系列情報表を観察しながら、被計量物の計量結果に問題が生じた原因を調査することができるようになっている。すなわち、使用者は、設定されている多数の演算機能の内から誤って設定されている演算機能を容易に見つけ出すことができるようになっている。また、使用者が、「時系列情報表」がディスプレイ６０に表示された状態で、操作キー６１の入力操作（例えば、操作キー６１ｃの１回の押圧）を行うと、時系列情報表示制御部３５は、「時系列情報表」をディスプレイ６０から消し、計量結果表示制御部３１が、被計量物の計量結果をディスプレイ６０に表示するようになっている。【００２７】
再設定部３６は、時系列情報表中における一つの演算機能が、操作キー６１の入力操作によって選択されることにより、選択された演算機能を設定していることを取り消すか、或いは、選択された演算機能に代えて、選択された演算機能が含まれる演算機能群において選択された演算機能を設定する前に設定していた演算機能を新たに設定するかのどちらか一方を実行する制御を行う。
例えば、使用者が、被計量物の計量結果を印刷機５６に出力することができないような問題が生じたと感じたことにより、上述したように図５に示す時系列情報表をディスプレイ６０に表示させた状態で、操作キー６１の入力操作（例えば、操作キー６１ｂの４回の押圧）によって、４番目の外部出力ボーレートを「９６００ｂｐｓ」とする演算機能を図６に示すように選択する。その結果、再設定部３６は、設定している外部出力ボーレートを「９６００ｂｐｓ」とする演算機能に代えて、第七演算機能群において前に設定していた外部出力ボーレートを「１２００ｂｐｓ」とする演算機能を新たに設定する。このとき、再設定部３６は、外部出力ボーレートを「９６００ｂｐｓ」とする演算機能を取り消したことを時系列情報表中に記憶させる。これにより、使用者は、誤って設定されている外部出力ボーレートを「９６００ｂｐｓ」とする演算機能に代えて、正しい外部出力ボーレートを「１２００ｂｐｓ」とする演算機能を新たに設定させることができる。その結果、被計量物の計量結果を印刷機５６に出力することができるようになる。【００２８】
また、例えば、使用者が、被計量物を計量皿１０ａに載置しているが、ディスプレイ６０に「０ｇ」と表示されているような問題が生じたと感じたことにより、時系列情報表をディスプレイ６０に表示させた状態で、操作キー６１の入力操作によって、２３番目の「風袋引きモード」により得られた風袋量の数値パラメータβを用いる演算機能を選択する。その結果、再設定部３６は、設定している「風袋引きモード」により得られた風袋量の数値パラメータβを用いる演算機能に代えて、第五演算機能群の初期設定である風袋量の数値パラメータβを用いない演算機能を新たに設定する。このとき、再設定部３６は、「風袋引きモード」により得られた風袋量の数値パラメータβを用いる演算機能を取り消したことを時系列情報表中に記憶させる。これにより、使用者は、誤って設定されている「風袋引きモード」により得られた風袋量の数値パラメータβを用いる演算機能に代えて、正しい風袋量の数値パラメータβを用いない演算機能を新たに設定させることができる。その結果、ディスプレイ６０に「０ｇ」でなく、「１５ｇ」と表示されようになり、計量皿１０ａに載置していた被計量物を廃棄することもなく、被計量物の計量を再開することができる。【００２９】
さらに、例えば、使用者が、ディスプレイ６０に表示された計量結果がおかしいような問題が生じたと感じたことにより、時系列情報表をディスプレイ６０に表示させた状態で、操作キー６１の入力操作によって、５０番目の校正係数の数値パラメータαを用いる演算機能を選択する。その結果、再設定部３６は、設定している校正係数の数値パラメータαを用いる演算機能に代えて、第六演算機能群において前に設定していた校正係数の数値パラメータα’を用いる演算機能を新たに設定する。このとき、再設定部３６は、校正係数の数値パラメータαを用いる演算機能を取り消したことを時系列情報表中に記憶させる。これにより、使用者は、誤って設定されている校正係数の数値パラメータαを用いる演算機能に代えて、前に設定されていた校正係数の数値パラメータα’を用いる演算機能を新たに設定させることができる。その結果、ディスプレイ６０におかしくない計量結果が表示されようになる。【００３０】
以上のように、本発明の電子天秤１によれば、誤って設定されている演算機能を容易に見つけ出すことができ、その上、誤って設定されている演算機能が設定されていることを容易に取り消したり、誤って設定されている演算機能に代えて、誤って設定されている演算機能が設定される前に設定されていた演算機能を容易に新たに設定させたりすることができる。
【産業上の利用可能性】
【００３１】
本発明は、被計量物の種類や計量作業の種類や作業環境の状況に対応して、複数の演算機能の内から適切な演算機能を設定することにより、設定した演算機能に基づいて被計量物の計量結果を表示する電子天秤に利用することができる。
【図１】
2010016138.tif 000003
【図２】
2010016138.tif 000004
【図３】
2010016138.tif 000005
【図４】
2010016138.tif 000006
【図５】
2010016138.tif 000007
【図６】
2010016138.tif 000008
【国際調査報告】
2010016138.tif 000009
2010016138.tif 000010